(57)【特許請求の範囲】
【請求項１】
上下方向の軸線を中心軸として長手状に延びている中棒と、上ろくろと、ランナーと、複数の親骨と複数の受骨とを有する骨組とを備えて、前記ランナーが前記中棒の上側の開傘位置及び前記中棒の下側の閉傘位置との間で上下移動することにより、前記骨組に張られた傘布を開閉する傘であって、
前記上ろくろは、前記中棒の上端部に設けられ、複数の前記親骨が回動可能に連結されるろくろ本体部と、前記ろくろ本体部から下方に延伸して常に前記中棒から離れて曲がる揺動端部を有する可撓性係止片とが設けられ、前記揺動端部の延出端には係止爪が外方に突き出て設けられ、前記係止爪の上端に、上方に向かって内向きに突き出て延伸される第１の傾斜面が形成され、
前記ランナーは、前記中棒に摺動自在に外嵌され、複数の前記受骨が回動可能に連結されるランナー本体と、前記ランナー本体に対して前記軸線沿いに上下に摺動可能に連結して設けられている可動部材とを有し、
前記ランナー本体は、前記中棒に上下に移動可能に嵌設されている第２の環壁部と、前記第２の環壁部から前記中棒の長手方向に沿って延伸されている第２のスリーブ壁部とからなり、前記第２のスリーブ壁部には、前記開傘位置にて前記ランナーが前記上ろくろに対して係止定位されるよう前記係止爪が係脱可能に入る係止孔が設けられ、
前記可動部材は、前記軸線を中心として前記ランナー本体の回りを取り囲む通路が形成された第３の環壁部を有し、前記第３の環壁部は前記通路に対向する内周面を有し、前記可動部材の前記ランナー本体に対する摺動に連動して前記係止爪が係脱可能に接触される推しブロックが前記内周面から前記通路に向かって突き出て設けられ、前記推しブロックの下端に前記第１の傾斜面に対応して当接する第２の傾斜面が形成され、
前記第２のスリーブ壁部は、その長手方向両端にリング状の上側フランジと、リング状の下側フランジとが形成されるように切り込んだ第３の外周溝が設けられ、
前記下側フランジは、前記第３の外周溝との間に肩面が形成されるように前記第３の外周溝の溝面から外側に突き出て形成され、
前記第３の環壁部の内周面は、前記通路の一端側に前記第２の環壁部を取り込む第１の通路が形成された第１の囲い面部と、前記通路の他端側に前記下側フランジを取り囲む第２の通路が形成された第２の囲い面部と、前記第３の外周溝に対向して前記第１の通路及び前記第２の通路よりも径小な第３の通路が形成されるように前記第１の囲い面部と前記第２の囲い面部との間を連結するネック面部とを有する、ことを特徴とする傘。
【請求項２】
前記下側フランジは、その外周面から突き出て上側に向かって前記長手方向沿いに延伸されたガイドブロックが設けられ、
前記第２の囲い面部は、前記ガイドブロックが摺動可能に嵌入されるように前記内周面より窪んで長手方向沿いに延伸される滑り溝が形成されていることを特徴とする請求項１に記載の傘。
【請求項３】
前記第２のスリーブ壁部の外周面には、前記可撓性係止片が通って前記係止爪が前記係止孔に係止されるよう、前記第２の環壁部の上端から内側且つ下側に向かって切り込んで前記係止孔に連通するように長手方向に延伸される案内溝が形成されていることを特徴とする請求項２に記載の傘。
【請求項４】
前記ろくろ本体部は、前記中棒に設けられ、複数の前記親骨の前記中棒側の基端を受け入れるための第１の環壁部を有し、
前記第１の環壁部には、その周りに第１の外周溝と、前記親骨の基端を挿通しながら前記第１の外周溝に巻きつける第１の抱き針の捻り合せ端部を収める第１の収容穴とが設けられていることを特徴とする請求項１から３のいずれか１項に記載の傘。
【請求項５】
前記第２の環壁部は、前記受骨の前記中棒側の基端を受け入れるように設けられ、前記第２の環壁部の周りに第２の外周溝が設けられ、
前記第３の環壁部は、前記受骨の基端を挿通しながら前記第２の外周溝に巻きつける第２の抱き針の捻り合せ端部を遮蔽するタブが、長手方向沿いに上向きに延伸されて設けられていることを特徴とする請求項１から４のいずれか１項に記載の傘。
【発明の詳細な説明】
【技術分野】
【０００１】
本発明は、傘に関し、特に傘の開閉を安全に操作することができる傘に関する。
【背景技術】
【０００２】
従来、一般によく見かける傘は、上下方向に長手状に延びている中棒の上端部に中棒の長手方向に細長く形成されたはじき孔にはじきが出没自在に設けられており、ランナーが中棒を摺動してその上端部へ移動されると、はじきが一旦はじき孔に没するが、はじきを越えると、はじきがすぐはじき孔から突き出ることによって、ランナーがはじきによって係止定位されることができる。これによって、傘を展開状態に保持することができる。しかし、傘の軽量化及び小型化が図られると、中棒が径小になり、はじき孔によって中棒の強度が下がり、折れ曲がり易くなる。また、傘の展開状態を解消しようとするとき、突き出たはじきを押しながらランナーを移動させると、はじきとランナーとの間にユーザーの指が挟まれて怪我をすることがある。
【０００３】
従来の上記問題点を解決する傘の一例では、図８に示されているように、中棒１の長手方向に沿ってランナー３が摺動自在に外嵌されており、中棒１の上ろくろ２から２本の可撓性係止片２０１、２０１が下方に延出されてそれぞれの延出端に係止爪２０２、２０２が外方に突き出て設けられている。ランナー３は、各可撓性係止片２０１が対応して中棒１の長手方向中心線側に圧入されて各係止爪２０２が係止される係止肩部３０２が形成された係止孔３０１が設けられている。この傘を使用するとき、指でランナー３を中棒１の長手方向に沿って上ろくろ２向きに摺動させると、可撓性係止片２０１が押されて係止爪２０２が係止孔３０１内に退避するが、この際係止爪２０２はその弾性反発力によってすぐに弾き出て係止肩部３０２によって係止定位される。これによって、ランナー３を所定の位置に係止定位させると同時に傘を展開状態に保持することができる（例えば特許文献１参照）。
【先行技術文献】
【特許文献】
【０００４】
【特許文献１】登録実用新案第３０５１７３５号明細書
【発明の概要】
【発明が解決しようとする課題】
【０００５】
上記従来の傘では、中棒１にはじき孔を設けることがないので、中棒の強度を低下させることがなく、また、はじきによる怪我を防止することができるが、ユーザーの指は係止爪２０２と係止肩部３０２との間に挟まれて怪我をすることもある。
【０００６】
また、従来の傘では、上ろくろ２とランナー３とに骨組における親骨及び受骨の中棒１側の基端を受け入れるための長手方向沿いの縦溝（図示せず）が形成されている。また、その縦溝を横断して外周溝２０３、３０３が形成されている。親骨及び受骨の基端部には孔が形成されており、対応する孔には抱き針（図示せず）を挿通しながら外周溝２０３、３０３に巻き付け、抱き針の両端を捩じり合わせてリング状にすることにより、親骨及び受骨を上ろくろ２とランナー３に集束して開閉動可能に取り付けている。抱き針の捻り合せ端部は別設の縦向きの収容溝やキャップなどに収容されることにより緩みなどの不具合などを回避することができるが、使用につれる収容溝からの脱落やキャップの紛失などで、露出した抱き針の切り口で指を負傷したり、衣服、傘布が引っ掛かって損傷したりすることもある。
【０００７】
本発明は、上記問題点に鑑みてなされたものであり、傘の開閉操作が簡単で安全に操作することができる傘を提供することを目的とする。
【課題を解決するための手段】
【０００８】
上記目的を達成ために、本発明に係る傘は、  上下方向の軸線を中心軸として長手状に延びている中棒と、上ろくろと、ランナーと、複数の親骨と複数の受骨とを有する骨組とを備えて、前記ランナーが前記中棒の上側の開傘位置及び前記中棒の下側の閉傘位置との間で上下移動することにより、前記骨組に張られた傘布を開閉する傘であって、
前記上ろくろは、前記中棒の上端部に設けられ、複数の前記親骨が回動可能に連結されるろくろ本体部と、前記ろくろ本体部から下方に延伸して常に前記中棒から離れて曲がる揺動端部を有する可撓性係止片とが設けられ、前記揺動端部の延出端には係止爪が外方に突き出て設けられ、前記係止爪の上端に、上方に向かって内向きに突き出て延伸される第１の傾斜面が形成され、
前記ランナーは、前記中棒に摺動自在に外嵌され、複数の前記受骨が回動可能に連結されるランナー本体と、前記ランナー本体に対して前記軸線沿いに上下に摺動可能に連結して設けられている可動部材とを有し、
前記ランナー本体は、前記中棒に上下に移動可能に嵌設されている第２の環壁部と、前記第２の環壁部から前記中棒の長手方向に沿って延伸されている第２のスリーブ壁部とからなり、前記第２のスリーブ壁部には、前記開傘位置にて前記ランナーが前記上ろくろに対して係止定位されるよう前記係止爪が係脱可能に入る係止孔が設けられ、
前記可動部材は、前記軸線を中心として前記ランナー本体の回りを取り囲む通路が形成された第３の環壁部を有し、前記第３の環壁部は前記通路に対向する内周面を有し、前記可動部材の前記ランナー本体に対する摺動に連動して前記係止爪が係脱可能に接触される推しブロックが前記内周面から前記通路に向かって突き出て設けられ、前記推しブロックの下端に前記第１の傾斜面に対応して当接する第２の傾斜面が形成され、
前記第２のスリーブ壁部は、その長手方向両端にリング状の上側フランジと、リング状の下側フランジとが形成されるように切り込んだ第３の外周溝が設けられ、
前記下側フランジは、前記第３の外周溝との間に肩面が形成されるように前記第３の外周溝の溝面から外側に突き出て形成され、
前記第３の環壁部の内周面は、前記通路の一端側に前記第２の環壁部を取り込む第１の通路が形成された第１の囲い面部と、前記通路の他端側に前記下側フランジを取り囲む第２の通路が形成された第２の囲い面部と、前記第３の外周溝に対向して前記第１の通路及び前記第２の通路よりも径小な第３の通路が形成されるように前記第１の囲い面部と前記第２の囲い面部との間を連結するネック面部とを有する、ことを特徴とする。
【発明の効果】
【０００９】
以上のように構成された本発明に係る傘によれば、開傘された骨組を閉じて閉傘しようとするとき、可動部材をランナー本体に対して下向きに移動させるように操作すると、係止爪が推しブロックによって推され、係止爪が係止孔から離れながら、ランナー本体が可動部材の下向き移動と共に下向きに動かされるので、ランナーが中棒の下側の閉傘位置へ移動する。また、閉傘状態にて、ランナーを上向きに移動させるように操作すると、可動部材の上向きの移動に連動してランナー本体も上向きに移動する。そして、可撓性係止片の係止爪が係止孔に入り推しブロックと接触して係止される。これにより、再び傘を開傘状態にすることができる。このように、本発明に係る傘の開閉操作において、可動部材の上下移動だけで傘の開閉操作をすることができ、またこれにより従来のように可撓性係止片とランナーとの間に指を挟まれて怪我をすることがなくなる。
【図面の簡単な説明】
【００１０】
【図１】本発明に係る傘の一実施例の主要部分の分解斜視図である。
【図２】本発明に係る傘におけるランナー本体の斜視図である。
【図３】本発明に係る傘における可動部材の斜視図である。
【図４】本発明に係る傘の開傘状態を概略的に示す断面図である。
【図５】本発明に係る傘の他の側面から見た開傘状態を概略的に示す断面図である。
【図６】本発明に係る傘の閉傘状態を概略的に示す断面図である。
【図７】図６の主要部分を拡大して示す断面図である。
【図８】従来の傘の一例の一部を示す断面図である。
【発明を実施するための形態】
【００１１】
以下、添付の図面に基づいて本発明に係る傘の一実施例を説明する。
【実施例】
【００１２】
本実施例に係る傘は、中棒１０と、上ろくろ２０と、ランナー３０と、骨組６０などを備えて、ランナー３０が中棒１０を上下移動することにより、骨組６０に張られた傘布を開閉するようになっている。
【００１３】
中棒１０は、上下方向の軸線Ｌを中心軸として長手状に延びている。
上ろくろ２０は、中棒１０の上端部に連結して設けられている円筒状のろくろ本体部２１から、常時中棒から離反する方向に曲がる付勢力を有する可撓性係止片２２が下方に延びるように設けられている。
【００１４】
ろくろ本体部２１は、中棒１０に嵌設されている第１の環壁部２１１と、第１の環壁部２１１から第１の環壁部２１１より径小に中棒１０の長手方向に沿って延伸されている第１のスリーブ壁部２１２とからなっている。第１の環壁部２１１には、その周りに骨組６０における複数の親骨６１、６１、・・・の中棒１０側の基端を受け入れるための複数の第１の縦溝２１５、２１５、・・・が互いに所定の角間隔をおいて長手方向沿いに設けられ、且つ、複数の第１の縦溝２１５、２１５、・・・を横断する第１の外周溝２１６が設けられている。第１の環壁部２１１と第１のスリーブ壁部２１２との間には第１の縦溝２１５とは別に、第１の外周溝２１６に連通して下記の抱き針７１の捻り合せ端部７１１を収める第１の収容穴２１３０を画成した枠部２１３が設けられている。
【００１５】
可撓性係止片２２は、スリーブ壁部２１２に連結された連結端部２２１と連結端部２２１から延伸して常に中棒１０から離れて曲がる揺動端部２２２とを有し、揺動端部２２２の延出端に係止爪２２３が外方に突き出て設けられている。なお、この例では、係止爪２２３は、係止片２２の外面から中棒１０の軸線Ｌに直角に延伸されてランナー３０に係止される肩面２２４を有し、係止片２２の外面と肩面２２４との間の凹角部に肩面２２４より係止片２２の外面に向かって上方下方且つ内向きに突き出て延伸された第１の傾斜面２２５を有するガイド部が設けられている。
【００１６】
ランナー３０は、中棒１０に摺動自在に外嵌され、骨組６０が連結される中空筒状のランナー本体４０と、例えばユーザーの操作によりランナー本体４０に対して軸線Ｌに沿って摺動可能に連結して設けられている中空筒状の可動部材５０とを有する。
【００１７】
ランナー本体４０は、中棒１０に上下に移動可能に嵌設されている第２の環壁部４１と、第２の環壁部４１から第２の環壁部４１より径小に中棒１０の長手方向に沿って延伸されている第２のスリーブ壁部４２とからなっている。第２の環壁部４１には、その周りに骨組６０における複数の受骨６２、６２、・・・の中棒１０側の基端を受け入れるための複数の第２の縦溝４１２、４１２、・・・が互いに所定の角間隔をおいて長手方向沿いに設けられ、且つ、複数の第２の縦溝４１２、４１２、・・・を横断する第２の外周溝４１３が設けられている。
【００１８】
第２のスリーブ壁部４２の外周面には、その長手方向の上端部にその中空部に空間的に連通するように長手方向に延伸される係止孔４３が形成されており、第２の環壁部４１には、その上端面から内側且つ下側に向かって切り込んで係止孔４３に連通するように長手方向に延伸される案内溝４４が形成されている。
【００１９】
第２のスリーブ壁部４２は、その長手方向両端にほぼリング状の上側フランジ４２０と、リング状の下側フランジ４２２とが形成されるように切り込んだ第３の外周溝４２１が設けられている。
【００２０】
第２のスリーブ壁部４２の上側フランジ４２０は、縦向きに切り込んで係止孔４３に連通する開口４２０ａが形成され、上側フランジ４２０の開口４２０ａの両側部に互いに所定の間隔をおいて対向するつば４３１、４３１が係止孔４３に臨むように設けられている。
【００２１】
下側フランジ４２２は、第３の外周溝４２１との間に肩面４２３が形成されるように第３の外周溝４２１の溝面から外側に突き出ている。下側フランジ４２２にはまた、その外周面から突き出て更に上側に向かって長手方向沿いに延伸されたガイドブロック４２４が設けられている。
【００２２】
可動部材５０は、軸線Ｌを中心としてランナー本体４０の回りを取り囲む通路が形成された第３の環壁部５１を有する。第３の環壁部５１は、可動部材５０のランナー本体４０に対する摺動に連動して係止爪２２３が係脱可能に接触される推しブロック５２が突き出て設けられている。この例では、推しブロック５２は第３の環壁部５１の内周面５１１ａから通路に向かって突き出て設けられている。また、推しブロック５２は、その下端に第１の傾斜面２２５に対応して当接する第２の傾斜面５２１が形成されている。また、第３の環壁部５１にはその外周面５１１ｂから突き出て長手方向沿いに上向きに延伸されたタブ５３が設けられている。
【００２３】
第３の環壁部５１の内周面５１１ａは、通路の一端側に第２の環壁部４１を取り込む第１の通路が形成された第１の囲い面部５１２と、通路の他端側に下側フランジ４２２を取り囲む第２の通路が形成された第２の囲い面部５１４と、第３の外周溝４２１に対向して第１の通路及び第２の通路よりも径小な第３の通路が形成されるように第１の囲い面部５１２と第２の囲い面部５１４との間を連結するネック面部５１３とを有する。
【００２４】
第２の囲い面部５１４には、ガイドブロック４２４が摺動可能に嵌入されるように内周面５１１ａより窪んで長手方向沿いに延伸される滑り溝５１５が形成されている。
【００２５】
骨組６０は、ランナー３０の中棒１０に沿った上下摺動によって開閉されるように設けられ、上ろくろ２０に枢止される複数の親骨６１、６１、・・・と、ランナー３０に枢止される複数の受骨６２、６２、・・・とを有する。親骨６１、６１、・・・及び受骨６２、６２、・・・の基端部には孔（図示せず）が形成されており、図４に示されているように、それぞれの対応する孔には第１の抱き針７１、第２の抱き針７２を挿通しながら第１の外周溝２１６及び第２の外周溝４１３に巻き付け、抱き針７１、７２の両端を捩じり合わせてリング状にすることにより、親骨６１及び受骨６２が上ろくろ２０とランナー３０に集束して開閉動可能に取り付けられている。図５に示されているように、第１の抱き針７１の捻り合せ部７１１は、第１の収容穴２１３０にて収容され、第２の抱き針７２の捻り合せ部７２１は、タブ５３によって遮蔽されるように設けられている。
【００２６】
以上のように構成された傘の動作及び作用を以下に説明する。
【００２７】
図４、５に示すように、上ろくろ２０にランナー３０が近づく開傘位置にて、係止片２２が案内溝４４中を通って係止爪２２３がランナー３０の係止孔４３に入り、肩面２２４がつば４３１、４３１にて係止されると係止定位される。そして、ガイドブロック４２４が滑り溝５１５に嵌入されているので、可動部材５０がランナー本体４０に対して回転することを防止することができる。これによって、推しブロック５２の第２の傾斜面５２１が係止爪２２３の第１の傾斜面２２５にずれなく当接することができる。
【００２８】
従って、傘を、ランナー３０が中棒１０の上側の開傘位置にて上ろくろ２０に対して係止定位され、骨組６０が展開されている開傘状態にすることができる。
【００２９】
次に、展開された骨組６０を閉じて閉傘しようとするとき、ユーザーが指をランナー３０に当てて下向きに移動させるように操作すると、可動部材５０はランナー本体４０に対して下向きに移動する。この時、可動部材５０の移動に連動して、第２の傾斜面５２１が滑り出して第１の傾斜面２２５との接触から離れる。続いて可動部材５０を更に下向きに移動するように操作すると、ネック面部５１３が肩面４２３に係止されるので、ランナー本体４０が可動部材５０の下向き移動と共に下向きに動かされて、ランナー３０が中棒１０の下側の閉傘位置へ移動される。従って、傘を、中棒１０の閉傘位置にて骨組６０が閉じている閉傘状態にすることができる。
【００３０】
傘の閉傘状態にて、可動部材５０を上向きに移動するように操作すると、ランナー本体４０の移動に連動してランナー３０が上ろくろ２０に向かって移動する。そして、可撓性係止片２２は案内溝４４を通り、係止爪２２３が係止孔４３に入り、第１の傾斜面２２５が推しブロック５２の第２の傾斜面５２１と接触して係止される。このようにすると、再び傘を開傘状態にすることができる。
【００３１】
以上のように、本発明に係る傘の開閉操作において、可動部材５０の推し動作だけで傘の開閉操作をすることができ、且つ、従来のように可撓性係止片とランナーとの間に指を挟まれて怪我をすることがなくなる。
【００３２】
また、図５に示されているように、第１の抱き針７１の捻り合せ端部７１１が別設の収容穴２１３０に収容され、また第２の抱き針７２の捻り合せ端部７２１がタブ５３によって遮蔽することができるので、抱き針７１、７２の捻り合せ端部７１１、７２１（切り口）で指を負傷したり、衣服や傘布が引っ掛かって損傷したりすることもなくなる。
【産業上の利用可能性】
【００３３】
本発明に係る傘は、使用安全性を備える傘に有用である。
【符号の説明】
【００３４】
１０  中棒
２０  上ろくろ
２１  ろくろ本体部
２１１  第１の環壁部
２１２  第１のスリーブ壁部
２１３  枠部
２１３０  第１の収容穴
２１５  第１の縦溝
２１６  第１の外周溝
２２  可撓性係止片
２２１  連結端部
２２２  揺動端部
２２３  係止爪
２２４  肩面
２２５  第１の傾斜面
３０  ランナー
４０  ランナー本体
４１  第２の環壁部
４１２  第２の縦溝
４１３  第２の外周溝
４２  第２のスリーブ壁部
４２０  上側フランジ
４２０ａ  開口
４２１  第３の外周溝
４２２  下側フランジ
４２３  肩面
４２４  ガイドブロック
４３  係止孔
４３１  つば
４４  案内溝
５０  可動部材
５１  第３の環壁部
５１１ａ  内周面
５１１ｂ  外周面
５１２  第１の囲い面部
５１３  ネック面部
５１４  第２の囲い面部
５１５  滑り溝
５２  推しブロック
５２１  第２の傾斜面
５３  タブ
６０  骨組
６１  親骨
６２  受骨
７１  抱き針
７１１  捻り合せ端部
７２  第２の抱き針
７２１  捻り合せ部
Ｌ  軸線
【図１】
0005481533.tif 000002
【図２】
0005481533.tif 000003
【図３】
0005481533.tif 000004
【図４】
0005481533.tif 000005
【図５】
0005481533.tif 000006
【図６】
0005481533.tif 000007
【図７】
0005481533.tif 000008
【図８】
0005481533.tif 000009